(57)【要約】【課題】  トランスの二次巻線側の出力電圧を直接測定することができない場合において、当該二次巻線側の出力電圧を精度良く推定する。【解決手段】  本発明の電圧検出回路は、複数のトランスの一次巻線の出力、又は当該一次巻線及び二次巻線とは独立に設けられた電圧検出用三次巻線の各出力に接続された正側の半波整流回路及び負側の半波整流回路と、正側の各半波整流回路の出力のうち最大振幅の信号と、負側の各半波整流回路の出力のうち最大振幅の信号とを合成する合成回路と、合成回路の出力に対して、トランスの二次巻線側の周波数特性に応じた周波数特性の補正を行う回路と、イコライザの出力をエンベロープ検波する回路とを有する。【選択図】  図１０
2006238658.tif 000002
【特許請求の範囲】
【請求項１】
電力供給源に接続されたトランスの電圧を検出する機能を有する電圧検出回路であって、
前記トランスに設けられた巻線に発生する電圧を検出する電圧検出手段と、
前記電圧検出手段により検出された前記電圧に共振特性を付加する共振特性付加手段と、
前記共振特性が付加された電圧を用いて、前記電力供給源による前記トランスへの入力を制御する手段と、
を有する電圧検出回路。
【請求項２】
前記共振特性付加手段は、受動素子を用いて構成され、前記共振特性を有する受動型回路であることを特徴とする請求項１記載の電圧検出回路。
【請求項３】
前記共振特性付加手段は、能動素子と受動素子とを用いて構成され、前記共振特性を有する能動型回路であることを特徴とする請求項１記載の電圧検出回路。
【請求項４】
トランスの一次巻線の出力、又は当該一次巻線及び二次巻線とは独立に設けられた電圧検出用三次巻線の出力に対して、前記トランスの二次巻線側の周波数特性に応じた周波数特性の補正を行うイコライザと、
前記イコライザの出力をエンベロープ検波するエンベロープ検波回路と、
を有する電圧検出回路。
【請求項５】
前記トランスが複数である場合、前記トランス毎に前記イコライザが設けられ、
前記エンベロープ検波回路が、各前記イコライザの出力のうち最大振幅の信号についてエンベロープ検波を行う
ことを特徴とする請求項４記載の電圧検出回路。
【請求項６】
複数のトランスの一次巻線の出力、又は当該一次巻線及び二次巻線とは独立に設けられた電圧検出用三次巻線の各出力に接続された半波整流回路と、
各前記半波整流回路の出力のうち最大振幅の信号に対して、前記トランスの二次巻線側の周波数特性に応じた周波数特性の補正を行うイコライザと、
前記イコライザの出力をエンベロープ検波する回路と、
を有する電圧検出回路。
【請求項７】
複数のトランスの一次巻線の出力、又は当該一次巻線及び二次巻線とは独立に設けられた電圧検出用三次巻線の各出力に接続された全波整流回路と、
各前記全波整流回路の出力のうち最大振幅の信号に対して、前記トランスの二次巻線側の周波数特性を二倍又は実質的に二倍の周波数にシフトさせた周波数特性に応じた周波数特性の補正を行うイコライザと、
前記イコライザの出力をエンベロープ検波する回路と、
を有する電圧検出回路。
【請求項８】
複数のトランスの一次巻線の出力、又は当該一次巻線及び二次巻線とは独立に設けられた電圧検出用三次巻線の各出力に接続された全波整流回路と、
各前記全波整流回路の出力のうち最大振幅の信号に対して、前記複数のトランスに接続される交流電源の駆動信号に従って同期変調を行う同期変調回路と、
前記同期変調回路の出力に対して、前記トランスの二次巻線側の周波数特性に応じた周波数特性の補正を行うイコライザと、
前記イコライザの出力をエンベロープ検波する回路と、
を有する電圧検出回路。
【請求項９】
複数のトランスの一次巻線の出力、又は当該一次巻線及び二次巻線とは独立に設けられた電圧検出用三次巻線の各出力に接続された正側の半波整流回路及び負側の半波整流回路と、
前記正側の各半波整流回路の出力のうち最大振幅の信号と、前記負側の各半波整流回路の出力のうち最大振幅の信号とを合成する合成回路と、
前記合成回路の出力に対して、前記トランスの二次巻線側の周波数特性に応じた周波数特性の補正を行う回路と、
前記イコライザの出力をエンベロープ検波する回路と、
を有する電圧検出回路。
【請求項１０】
前記正側の半端整流回路が、第１のダイオードであって、
前記複数のトランスの一次巻線の出力、又は当該一次巻線及び二次巻線とは独立に設けられた電圧検出用三次巻線の各出力に前記第１のダイオードのアノードが接続され、
前記第１のダイオードのカソードが共通接続されることにより前記正側の各半波整流回路の出力のうち最大振幅の信号が生成され、
前記負側の半波整流回路が、第２のダイオードであって、
前記複数のトランスの一次巻線の出力、又は当該一次巻線及び二次巻線とは独立に設けられた電圧検出用三次巻線の各出力に前記第２のダイオードのカソードが接続され、
前記第２のダイオードのアノードが共通接続されることにより前記負側の各半波整流回路の出力のうち最大振幅の信号が生成される
請求項９記載の電圧検出回路。
【請求項１１】
複数のトランスと、
前記複数のトランスの二次巻線に接続される複数のランプと、
前記複数のトランスの二次巻線側の電圧を推定する電圧検出回路と、
前記電圧検出回路からの出力に応じて前記複数のトランスの一次巻線に対する交流電源出力を自動調整又は停止させる制御回路と、
を有し、
前記複数のトランスの二次巻線と前記複数のランプとが閉ループを構成し、
前記電圧検出回路が、
前記トランスの一次巻線の出力、又は当該一次巻線及び二次巻線とは独立に設けられた電圧検出用三次巻線の出力に対して、前記トランスの二次巻線側の周波数特性に応じた周波数特性の補正を行うイコライザと、
前記イコライザの出力をエンベロープ検波する回路と、
を有する
ランプ駆動回路。
【請求項１２】
複数のトランスと、
前記複数のトランスの二次巻線に接続される複数のランプと、
前記複数のトランスの二次巻線側の電圧を推定する電圧検出回路と、
前記電圧検出回路からの出力に応じて前記複数のトランスの一次巻線に対する交流電源出力を自動調整又は停止させる制御回路と、
を有し、
前記複数のトランスの二次巻線と前記複数のランプとが閉ループを構成し、
前記電圧検出回路が、
複数のトランスの一次巻線の出力、又は当該一次巻線及び二次巻線とは独立に設けられた電圧検出用三次巻線の各出力に接続された正側の半波整流回路及び負側の半波整流回路と、
前記正側の各半波整流回路の出力のうち最大振幅の信号と、前記負側の各半波整流回路の出力のうち最大振幅の信号とを合成する合成回路と、
前記合成回路の出力に対して、前記トランスの二次巻線側の周波数特性に応じた周波数特性の補正を行う回路と、
前記イコライザの出力をエンベロープ検波する回路と、
を有する
ランプ駆動回路。
【発明の詳細な説明】
【技術分野】
【０００１】
本発明は、トランスの二次巻線側の電圧を直接測定できない場合において、トランスの二次巻線側の電圧を推定するための技術である。
【背景技術】
【０００２】
放電管点灯用のインバータ回路では、特に起動時などには放電を開始させるため、インバータ回路の出力電圧を上げたり、その周波数をスキャンしてトランスの二次巻線側に生ずる漏れインダクタンス成分を用いた共振による電圧上昇を利用して、通常より高い電圧をかける。しかし、過電圧が発生すると、スパークなどでトランス自身や周囲の電子回路にダメージを与えてしまう。そのため、従来では、トランスの二次巻線側の電圧自身を検出して過電圧発生を防止するように電圧を自動調整したり、動作を停止させる。
【０００３】
このために、例えば図１に示すような放電管駆動回路が用いられていた。すなわち、図１の放電管駆動回路１０００は、トランスＴ１００１乃至Ｔ１００４と、キャパシタＣ１０００乃至Ｃ１００７と、ダイオードＤ１０００乃至Ｄ１００３と、放電管ＬＰ１０００及びＬＰ１００１とを有する。トランスＴ１００１の一次巻線の端子Ｐ２は、トランスＴ１００３の一次巻線の端子Ｐ２に接続されている。また、トランスＴ１００１の一次巻線の端子Ｐ１は、トランスＴ１００２の一次巻線の端子Ｐ２に接続されている。トランスＴ１００２の一次巻線の端子Ｐ１は、トランスＴ１００４の一次巻線の端子Ｐ１に接続されている。トランスＴ１００４の一次巻線の端子Ｐ２は、トランスＴ１００３の一次巻線の端子Ｐ１に接続されている。トランスＴ１００３の一次巻線の端子Ｐ２は、図示しないインバータ回路の一端に接続され、トランスＴ１００４の一次巻線の端子Ｐ１は、図示しないインバータ回路の他端に接続されている。
【０００４】
また、トランスＴ１００１の二次巻線の端子Ｓ１は、接地されており、端子Ｓ２は放電管ＬＰ１０００の一端と、キャパシタＣ１０００の一端とに接続されている。キャパシタＣ１０００の他端は、キャパシタＣ１００１の一端とダイオードＤ１０００のアノードに接続されている。キャパシタＣ１００１の他端は接地されている。また、放電管ＬＰ１０００の他端は、トランスＴ１００３の二次巻線の端子Ｓ２と、キャパシタＣ１００２の一端に接続されている。トランスＴ１００３の二次巻線の端子Ｓ１は接地されている。キャパシタＣ１００２の他端は、キャパシタＣ１００３の一端と、ダイオードＤ１００１のアノードとに接続されている。キャパシタＣ１００３の他端は接地されている。
【０００５】
さらに、トランスＴ１００２の二次巻線の端子Ｓ１は、接地されており、端子Ｓ２は放電管ＬＰ１００１の一端と、キャパシタＣ１００４の一端とに接続されている。キャパシタＣ１００４の他端は、キャパシタＣ１００５の一端とダイオードＤ１００２のアノードに接続されている。キャパシタＣ１００５の他端は接地されている。また、放電管ＬＰ１００１の他端は、トランスＴ１００４の二次巻線の端子Ｓ２と、キャパシタＣ１００６の一端に接続されている。トランスＴ１００４の二次巻線の端子Ｓ１は接地されている。キャパシタＣ１００６の他端は、キャパシタＣ１００７の一端と、ダイオードＤ１００３のアノードとに接続されている。キャパシタＣ１００７の他端は接地されている。
【０００６】
ダイオードＤ１０００乃至Ｄ１００３のカソードは全て接続され、さらにＳＥＮＳ端子を介して図示しない電圧検出回路に接続される。このようにキャパシタＣ１０００とＣ１００１、キャパシタＣ１００２とＣ１００３、キャパシタＣ１００４とＣ１００５、キャパシタＣ１００６とＣ１００７により各トランスの二次巻線の出力電圧を分圧して検出している。これらの出力電圧の最大値が、図示しない電圧検出回路に入力されることになる。そして、電圧検出回路は、検出された電圧に応じた信号をインバータ回路に出力する。インバータ回路は、検出回路からの信号に応じて、上で述べたように出力電圧を調整したり、出力を停止させたりする。
【０００７】
このような場合、（ａ）キャパシタで分圧する場合には二次巻線側の高圧部分に寄生容量を付けることになるため、無効電流が発生してしまう、（ｂ）抵抗で分圧する場合には抵抗自身で電力ロスを発生させてしまう、（ｃ）キャパシタを用いる場合には高耐圧のキャパシタが必要である、（ｄ）二次巻線側の放電管をフローティングで駆動するような回路では使用できない、といった問題が生じていた。
【０００８】
なお、トランスの二次巻線側の電圧を検出する技術には、米国出願公開公報２００４−０１５５５９６Ａ１に開示された技術が存在するが、フォトカプラを用いるといった特殊な構成を用いている。
【特許文献１】米国出願公開公報２００４−０１５５５９６Ａ１
【発明の開示】
【発明が解決しようとする課題】
【０００９】
上で述べたような問題を解決する方法としては二次巻線側ではなく、低電圧の一次巻線側の電圧、又は電圧検出用の三次巻線側の電圧を測定することによって上で述べたようなインバータ回路の動作を制御することも考えられる。しかしながら、二次巻線側には、漏れインダクタンス成分と浮遊容量及び周波数調整兼検出用分圧キャパシタによる図２のような共振特性が存在する。図２では横軸は周波数を表し、縦軸はゲインを表す。曲線ｐは二次巻線側の周波数特性を表しており、起動時においては曲線ｐのような共振特性を利用して高電圧を発生させ、点灯の容易化などに積極的に利用している。一方、定常時においては共振周波数以下で使用する。一方、通常の一次巻線側又は三次巻線側は、曲線ｑのような共振のない周波数特性を有する。
【００１０】
このように二次巻線側と一次巻線側又は電圧検出用の三次巻線側とは周波数特性に差があり、起動時の駆動周波数スイープの際には電圧比も変化するため、一次巻線側又は電圧検出用の三次巻線側を単純に測定しても、二次巻線側の出力に比例した出力を必ずしも得ることはできない。すなわち精度の高い推定ができない。
【００１１】
従って、本発明の目的は、トランスの二次巻線側の出力電圧を直接測定することができない場合において、当該二次巻線側の出力電圧を精度良く推定するための技術を提供することである。
【課題を解決するための手段】
【００１２】
本発明の第１の態様に係る電圧検出回路は、電力供給源に接続されたトランスの電圧を検出する機能を有する電圧検出回路であって、トランスに設けられた巻線に発生する電圧を検出する電圧検出手段と、電圧検出手段により検出された上記電圧に共振特性を付加する共振特性付加手段と、共振特性が付加された電圧を用いて、電力供給源によるトランスへの入力を制御する手段とを有する。このように共振特性付加手段を有するため、二次巻線側の正確な電圧を予測することができるようになる。
【００１３】
なお、上で述べた共振特性付加手段を、受動素子を用いて構成するようにしてもよい。そして、共振特性を有する受動型回路とすることも可能である。さらに、上で述べた共振特性付加手段を、能動素子と受動素子とを用いて構成するようにしてもよい。そして、共振特性を有する能動型回路とすることも可能である。
【００１４】
本発明の第２の態様に係る電圧検出回路は、トランスの一次巻線の出力、又は当該一次巻線及び二次巻線とは独立に設けられた電圧検出用三次巻線の出力（直接又は間接的な出力を含む）に対して、トランスの二次巻線側の周波数特性に応じた周波数特性の補正を行うイコライザと、イコライザの出力をエンベロープ検波するエンベロープ検波回路とを有する。このようなイコライザを導入することにより、トランスの二次巻線の出力電圧を精度良く推定することができるようになる。
【００１５】
また、トランスが複数である場合、トランス毎にイコライザを設けるようにしてもよい。その場合には、上で述べたエンベロープ検波回路が、各イコライザの出力のうち最大振幅の信号についてエンベロープ検波を行うようにする。
【００１６】
本発明の第３の態様に係る電圧検出回路は、複数のトランスの一次巻線の出力、又は当該一次巻線及び二次巻線とは独立に設けられた電圧検出用三次巻線の各出力に接続された半波整流回路と、各半波整流回路の出力のうち最大振幅の信号に対して、トランスの二次巻線側の周波数特性に応じた周波数特性の補正を行うイコライザと、イコライザの出力をエンベロープ検波する回路とを有する。半波整流回路としては例えばダイオードが用いられる。ダイオードが用いられる場合には、アノードをトランスの一次巻線又は三次巻線に接続し、全てのダイオードのカソードを接続することにより自動的に最大振幅の信号が形成される。
【００１７】
さらに、本発明の第４の態様に係る電圧検出回路は、複数のトランスの一次巻線の出力、又は当該一次巻線及び二次巻線とは独立に設けられた電圧検出用三次巻線の各出力に接続された全波整流回路と、各全波整流回路の出力のうち最大振幅の信号に対して、トランスの二次巻線側の周波数特性を二倍又は実質的に二倍の周波数にシフトさせた周波数特性に応じた周波数特性の補正を行うイコライザと、イコライザの出力をエンベロープ検波する回路とを有する。単純に全波整流回路を用いると周波数２倍の信号が得られるので、上で述べたようなイコライザを用いる必要がある。
【００１８】
さらに、本発明の第５の態様に係る電圧検出回路は、複数のトランスの一次巻線の出力、又は当該一次巻線及び二次巻線とは独立に設けられた電圧検出用三次巻線の各出力に接続された全波整流回路と、各全波整流回路の出力のうち最大振幅の信号に対して、複数のトランスに接続される交流電源の駆動信号に従って同期変調を行う同期変調回路と、同期変調回路の出力に対して、トランスの二次巻線側の周波数特性に応じた周波数特性の補正を行うイコライザと、イコライザの出力をエンベロープ検波する回路とを有する。全波整流回路を用いる場合でも、このように同期変調回路を用いることにより、元の周波数の信号を復元することができる。
【００１９】
また、本発明の第６の態様に係る電圧検出回路は、複数のトランスの一次巻線の出力、又は当該一次巻線及び二次巻線とは独立に設けられた電圧検出用三次巻線の各出力に接続された正側の半波整流回路及び負側の半波整流回路と、正側の各半波整流回路の出力のうち最大振幅の信号と、負側の各半波整流回路の出力のうち最大振幅の信号とを合成する合成回路と、合成回路の出力に対して、トランスの二次巻線側の周波数特性に応じた周波数特性の補正を行う回路と、イコライザの出力をエンベロープ検波する回路とを有する。第２乃至第５の態様に係る電圧検出回路では、トランス毎にイコライザを用意する必要はないので、コスト削減及び電力ロスの減少が実現される。但し、第２及び第３の態様については検出精度についてはやや問題がある。第４及び第５の態様に係る電圧検出回路は、精度については問題ないが、第５の態様の方が部品点数を減らすことができる。
【００２０】
なお、正側の半端整流回路が、第１のダイオードとすると、複数のトランスの一次巻線の出力、又は当該一次巻線及び二次巻線とは独立に設けられた電圧検出用三次巻線の各出力に第１のダイオードのアノードが接続され、第１のダイオードのカソードが共通接続されることにより上で述べた正側の各半波整流回路の出力のうち最大振幅の信号が生成される。また、負側の半波整流回路が、第２のダイオードとすると、複数のトランスの一次巻線の出力、又は当該一次巻線及び二次巻線とは独立に設けられた電圧検出用三次巻線の各出力に第２のダイオードのカソードが接続され、第２のダイオードのアノードが共通接続されることにより負側の各半波整流回路の出力のうち最大振幅の信号が生成される。
【００２１】
さらに、本発明の第７の態様に係るランプ駆動回路は、複数のトランスと、複数のトランスの二次巻線に接続される複数のランプ（例えば放電管）と、複数のトランスの二次巻線側の電圧を推定する電圧検出回路と、電圧検出回路からの出力に応じて複数のトランスの一次巻線に対する交流電源出力を自動調整又は停止させる制御回路とを有する。そして、複数のトランスの二次巻線と上記複数のランプとが閉ループを構成している。また、本ランプ駆動回路における電圧検出回路には、上で述べた第１乃至第５の態様に係る電圧検出回路のいずれかを用いることができる。
【００２２】
以上のような構成を実現するための回路は複数存在しており、以下に具体例を示すが、本発明はこれに限定されるものではない。
【発明の効果】
【００２３】
本発明によれば、トランスの二次巻線側の出力電圧を直接測定することができない場合において、当該二次巻線側の出力電圧を精度良く推定することができる。
【発明を実施するための最良の形態】
【００２４】
１．実施の形態１
第１の実施の形態に係る電圧検出回路の機能ブロック図を図３に示す。本実施の形態では、トランスの三次巻線を用いるが、一次巻線を用いるようにしても良い。本実施の形態に係る電圧検出回路は、イコライザ１と、全波又は半波整流部３と、最大値検出部５と、エンベロープ検出部７とを有する。なお、本実施の形態においては、イコライザ１と全波又は半波整流部３は、トランス毎に設けられる。
【００２５】
本実施の形態に係る電圧検出回路においては、トランスの三次巻線の出力が、イコライザ１に入力される。トランスの三次巻線の出力は、例えば図４の（ａ）のような波形の信号となる。イコライザ１は、トランスの三次巻線の出力に対して、二次巻線側の周波数特性に応じた周波数特性の補正を行う。イコライザ１の出力は、全波又は半波整流部３に入力される。全波又は半波整流部３は、イコライザ１の出力を半波又は全波整流し、最大値検出部５に出力する。最大値検出部５は、全てのトランスの全波又は半波整流部３の出力のうち最大値を検出してエンベロープ検出部７に出力する。最大値検出部５の出力は、全波整流の場合には（ｃ）のような波形の信号であり、半波整流の場合には（ｂ）のような波形の信号である。エンベロープ検出部７は、最大値検出部５からの入力のエンベロープ検波を行う。このエンベロープ検出部７の出力は、例えばトランスの一次巻線に接続されるインバータ回路に入力され、当該インバータ回路はエンベロープ検出部７からの入力に応じて出力電圧の調整又は出力停止を行う。
【００２６】
図３に示した機能は例えば図５に示すような回路にて実現される。図５は、本実施の形態に係る電圧検出回路を放電管駆動回路に適用した例を示している。図５は、放電管駆動回路の右側部分のみを示しており、本回路は、トランスＴ１及びＴ２と、キャパシタＣ１及びＣ２と、抵抗Ｒ１乃至Ｒ４と、コイルＬ２及びＬ３と、ダイオードＤ１乃至Ｄ８と、制御回路を含むインバータ回路１０と、エンベロープ検出回路１１とを有する。トランスＴ１は、インバータ回路１０に接続された一次巻線と、図示しない放電管に接続される二次巻線と、電圧検出用の三次巻線とを有する。同様にトランスＴ２は、インバータ回路１０に接続された一次巻線と、図示しない放電管に接続される二次巻線と、電圧検出用の三次巻線とを有する。
【００２７】
トランスＴ１の一次巻線の端子Ｐ１は、インバータ回路１０の第１の端子に接続されている。トランスＴ１の一次巻線の端子Ｐ２は、トランスＴ２の一次巻線の端子Ｐ１に接続されている。トランスＴ２の一次巻線の端子Ｐ２は、インバータ回路１０の第２の端子に接続されている。
【００２８】
トランスＴ１の二次巻線の端子Ｓ１は、図示しない第１の放電管に接続されている。トランスＴ１の二次巻線の端子Ｓ２は、端子Ｓ３と抵抗Ｒ１の一端に接続されている。抵抗Ｒ１の他端は、接地されている。このようにトランスＴ１の中間タップである端子Ｓ２及びＳ３は抵抗Ｒ１を介して接地されている。トランスＴ１の二次巻線の端子Ｓ４は、図示しない第２の放電管に接続されている。
【００２９】
また、トランスＴ２の二次巻線の端子Ｓ１は、図示しない第３の放電管に接続されている。トランスＴ２の二次巻線の端子Ｓ２は、端子Ｓ３と抵抗Ｒ２の一端に接続されている。抵抗Ｒ２の他端は、接地されている。このようにトランスＴ２の中間タップである端子Ｓ２及びＳ３は抵抗Ｒ２を介して接地されている。トランスＴ２の二次巻線の端子Ｓ４は、図示しない第４の放電管に接続されている。
【００３０】
トランスＴ１における電圧検出用の三次巻線の端子Ｐ３は、コイルＬ２の一端に接続され、コイルＬ２の他端は、キャパシタＣ１の一端と抵抗Ｒ３の一端とダイオードＤ３のカソードとダイオードＤ４のアノードとに接続されている。また、三次巻線の端子Ｐ４は、キャパシタＣ１の他端と抵抗Ｒ３の他端とダイオードＤ１のカソードとダイオードＤ２のアノードとに接続されている。ダイオードＤ１のアノードとダイオードＤ３のアノードとは接地されている。
【００３１】
トランスＴ２における電圧検出用の三次巻線の端子Ｐ３は、コイルＬ３の一端に接続され、コイルＬ３の他端は、キャパシタＣ２の一端と抵抗Ｒ４の一端とダイオードＤ７のカソードとダイオードＤ８のアノードとに接続されている。また、三次巻線の端子Ｐ４は、キャパシタＣ２の他端と抵抗Ｒ４の他端とダイオードＤ５のカソードとダイオードＤ６のアノードとに接続されている。ダイオードＤ５のアノードとダイオードＤ７のアノードとは接地されている。
【００３２】
キャパシタＣ１及び抵抗Ｒ３とトランスＴ１の三次巻線の漏れインダクタンス成分及びコイルＬ２にてトランスＴ１のためのイコライザ１２ａが構成される。また、キャパシタＣ２及び抵抗Ｒ４とトランスＴ２の三次巻線の漏れインダクタンス成分及びコイルＬ３にてトランスＴ２のためのイコライザ１２ｂが構成される。ダイオードＤ１乃至Ｄ４によりトランスＴ１のための全波整流部が構成され、ダイオードＤ５乃至Ｄ８によりトランスＴ２のための全波整流部が構成される。
【００３３】
ダイオードＤ２のカソードとダイオードＤ４のカソードと、ダイオードＤ６のカソードとダイオードＤ８のカソードとは接続されている。このように接続することにより、ダイオードＤ２のカソードとダイオードＤ４のカソードの出力電圧と、ダイオードＤ６のカソードとダイオードＤ８のカソードの出力電圧のうち最大電圧が自動的に選択されて、エンベロープ検出回路１１に入力されるようになっている。すなわち、最大値検出部５が構成されている。また、エンベロープ検出回路１１は、インバータ回路１０に接続される。
【００３４】
イコライザ１２ａ及び１２ｂでは、トランスの漏れインダクタンス成分及びコイルＬのインダクタンス成分とキャパシタにて共振させ、抵抗にてダンピングを調整するようになっている。なお、抵抗は放電管の抵抗を、キャパシタは放電管の容量をエミュレートするものである。このような受動素子の周波数特性により、トランスの二次巻線に現れる、図２のような共振特性が、トランスの三次巻線の出力に付加される。但し、図５に示したような構成のみならず、図６に示すような構成であってもよい。図６では、トランスの三次巻線の端子Ｐ３はコイルの一端に接続され、コイルの他端は、抵抗の一端に接続される。また、抵抗の他端はキャパシタの一端及びダイオードに接続される。キャパシタの他端はトランスの三次巻線の端子Ｐ４及びダイオードＤ１（又はＤ５）のカソード及びダイオードＤ２（又はＤ６）のアノードとに接続される。このような構成の場合においても、漏れインダクタンス成分及びコイルのインダクタンス成分とキャパシタにて共振させ、抵抗にてダンピングを調整するのは同じである。このようにすれば、受動素子のみで簡易に構成できるため、安価であると共に、フローティングのまま処理することができるため、後段にダイオード・ブリッジを接続すれば、全波整流及び最大値抽出を行うことができる。
【００３５】
なお、抵抗及びキャパシタの値を適切に設定することにより、トランスの三次巻線の漏れインダクタンス成分のみで、外付けのコイルを付加することなく図２のような共振特性を実現することも可能である。
【００３６】
本実施の形態では、上で述べたように三次巻線にイコライザを接続して二次巻線の周波数特性に応じた周波数特性の補正を行うようにしているため、二次巻線の出力電圧を精度良く推定することができる。但し、イコライザをトランスに応じて設ける必要がある。
【００３７】
２．実施の形態２
第２の実施の形態に係る電圧検出回路の機能ブロック図を図７に示す。本実施の形態においても、トランスの三次巻線を用いることを前提とするが、一次巻線を用いるようにしても良い。本実施の形態に係る電圧検出回路は、半波整流部２１と、最大値検出部２３と、イコライザ２５と、エンベロープ検出部２７とを有する。なお、本実施の形態においては、半波整流部２１のみ、トランス毎に設けられる。
【００３８】
本実施の形態に係る電圧検出回路においては、トランスの三次巻線の出力が、半波整流部２１に入力される。トランスの三次巻線の出力は、例えば図４の（ａ）のような波形の信号となる。半波整流部２１の出力は最大値検出部２３に入力される。半波整流部２１は、例えばダイオードであり、例えばダイオードのアノードが三次巻線に接続され、全ダイオードのカソードが接続される。そうすると、自動的に半波整流の結果のうち最大値がイコライザ２５に入力される。最大値検出部２３の出力は、例えば図４の（ｂ）のような波形の信号となる。
【００３９】
イコライザ２５は、最大値検出部２３からの入力に対して、二次巻線側の周波数特性に応じた周波数特性の補正を行い、補正後の信号をエンベロープ検出部２７に出力する。そして、エンベロープ検出部２７は、イコライザ２５からの入力のエンベロープ検波を行う。このエンベロープ検出部２７の出力は、例えばトランスの一次巻線に接続されるインバータ回路に入力され、当該インバータ回路はエンベロープ検出部２７からの入力に応じて出力電圧の調整又は出力停止を行う。
【００４０】
このようにすると、半波整流なので応答速度が遅く、精度に多少問題があるが、トランス毎に設ける必要があるのは半波整流部２１のみであり、部品点数及び電力ロスが減少し、トランスの二次巻線の電圧を三次巻線又は一次巻線の出力から推定することができるようになる。
【００４１】
３．実施の形態３
第３の実施の形態に係る電圧検出回路の機能ブロック図を図８に示す。本実施の形態においても、トランスの三次巻線を用いることを前提とするが、一次巻線を用いるようにしても良い。本実施の形態に係る電圧検出回路は、全波整流部３１と、最大値検出部３３と、倍周波イコライザ３５と、エンベロープ検出部３７とを有する。なお、本実施の形態においては、全波整流部３１のみ、トランス毎に設けられる。
【００４２】
本実施の形態に係る電圧検出回路においては、トランスの三次巻線の出力が、全波整流部３１に入力される。トランスの三次巻線の出力は、例えば図４の（ａ）のような波形の信号となる。全波整流部３１の出力は最大値検出部３３に入力される。全波整流部３１は、例えば図５のダイオードＤ１乃至Ｄ４と同様に構成され、全てのトランスについての全波整流部３１におけるダイオードＤ２及びＤ４のカソードが接続される。そうすると、自動的に全波整流の結果のうち最大値が倍周波イコライザ３５に入力される。最大値検出部３３の出力は、例えば図４の（ｃ）のような波形の信号となる。
【００４３】
倍周波イコライザ３５は、最大値検出部３３からの出力に対して、二次巻線側の周波数特性を２倍の周波数にシフトさせた周波数特性に応じた周波数特性の補正を行い、補正後の信号をエンベロープ検出部３７に出力する。図４の（ｃ）のような波形の信号であれば、二次巻線側の２倍の周波数となるので、倍周波イコライザ３５を用いる。そして、エンベロープ検出部３７は、倍周波イコライザ３５からの入力のエンベロープ検波を行う。このエンベロープ検出部３７の出力は、例えばトランスの一次巻線に接続されるインバータ回路に入力され、当該インバータ回路はエンベロープ検出部３７からの入力に応じて出力電圧の調整又は出力停止を行う。
【００４４】
このようにすると、第２の実施の形態より応答速度が早くなり、トランスの二次巻線の電圧を三次巻線又は一次巻線の出力から推定することができるようになる。なお、図４の（ｃ）のような波形をそのまま処理しているので精度はやや落ちる。
【００４５】
４．実施の形態４
第４の実施の形態に係る電圧検出回路の機能ブロック図を図９に示す。本実施の形態においても、トランスの三次巻線を用いることを前提とするが、一次巻線を用いるようにしても良い。本実施の形態に係る電圧検出回路は、全波整流部４１と、最大値検出部４３と、同期変調部４５と、イコライザ４７と、エンベロープ検出部４９とを有する。なお、本実施の形態においては、全波整流部４１のみ、トランス毎に設けられる。
【００４６】
本実施の形態に係る電圧検出回路においては、トランスの三次巻線の出力が、全波整流部４１に入力される。トランスの三次巻線の出力は、例えば図４の（ａ）のような波形の信号となる。全波整流部４１の出力は最大値検出部４３に入力される。全波整流部４１は、例えば図５のダイオードＤ１乃至Ｄ４と同様に構成され、全てのトランスについての全波整流部４１におけるダイオードＤ２及びＤ４のカソードが接続される。そうすると、自動的に全波整流の結果のうち最大値が同期変調部４５に入力される。最大値検出部４３の出力は、例えば図４の（ｃ）のような波形の信号となる。
【００４７】
同期変調部４５は、最大値検出部４３からの入力に対して、インバータ回路におけるスイッチング信号であるインバータ・キャリア（例えば図４の（ｄ）のような波形の信号）に応じた同期変調を行う。同期変調の結果は、例えば図４の（ｅ）のような波形の信号である。すなわち、両極性が回復されている。イコライザ４７は、同期変調部４５からの入力に対して、二次巻線側の周波数特性に応じた周波数特性の補正を行い、補正後の信号をエンベロープ検出部４９に出力する。そして、エンベロープ検出部４９は、イコライザ４７からの入力のエンベロープ検波を行う。このエンベロープ検出部４９の出力は、例えばトランスの一次巻線に接続されるインバータ回路に入力され、当該インバータ回路はエンベロープ検出部４９からの入力に応じて出力電圧の調整又は出力停止を行う。
【００４８】
このようにすると、第３の実施の形態とは異なり元の波形（但し、最大振幅の波形のみを合成した波形）を再現しているので精度が向上し、トランスの二次巻線の電圧を三次巻線又は一次巻線の出力から推定することができるようになる。
【００４９】
５．実施の形態５
第５の実施の形態に係る電圧検出回路の機能ブロック図を図１０に示す。本実施の形態においても、トランスの三次巻線を用いることを前提とするが、一次巻線を用いるようにしても良い。本実施の形態に係る電圧検出回路は、正側半波整流部５１と、負側半波整流部５３と、正側最大値検出部５５と、負側最大値検出部５７と、再合成部５９と、イコライザ６１と、エンベロープ検出部６３とを有する。なお、本実施の形態においては、正側半波整流部５１と負側半波整流部５３のみ、トランス毎に設けられる。
【００５０】
本実施の形態に係る電圧検出回路においては、トランスの三次巻線の出力が、正側半波整流部５１と負側半波整流部５３とに入力される。トランスの三次巻線の出力は、例えば図４の（ａ）のような波形の信号となる。正側半波整流部５１の出力は正側最大値検出部５５に入力され、負側半波整流部５３の出力は負側最大値検出部５７に入力される。正側半波整流部５１は、例えばダイオードであり、ダイオードのアノードがトランスの三次巻線に接続され、正側半波整流部５１であるダイオードのカソードは全てのトランスについて接続される。そうすると、自動的に半波整流の結果のうち振幅最大値が再合成部５９に入力される。同様に、負側半波整流部５３は、例えばダイオードであり、ダイオードのカソードがトランスの三次巻線に接続され、負側半波整流部５３であるダイオードのカソードは全てのトランスについて接続される。そうすると、自動的に半波整流の結果のうち振幅最大値が再合成部５９に入力される。
【００５１】
再合成部５９は、負側の振幅最大値の信号と正側の振幅最大値の信号とを合成し、両極性を復元させる。この再合成部５９の出力はイコライザ６１に入力される。イコライザ６１は、再合成部５９からの入力に対して、二次巻線側の周波数特性に応じた周波数特性の補正を行い、補正後の信号をエンベロープ検出部６３に出力する。そして、エンベロープ検出部６３は、イコライザ６１からの入力のエンベロープ検波を行う。このエンベロープ検出部６３の出力は、例えばトランスの一次巻線に接続されるインバータ回路に入力され、当該インバータ回路はエンベロープ検出部６３からの入力に応じて出力電圧の調整又は出力停止を行う。
【００５２】
このようにすると、元の波形（但し、最大振幅の波形のみを合成した波形）を再現しているので精度が向上し、半波整流であるから応答速度も速く、トランスの二次巻線の電圧を三次巻線又は一次巻線の出力から推定することができるようになる。
【００５３】
本実施の形態における電圧検出回路の具体例を図１１乃至図１３を用いて説明する。図１１に、電圧検出回路を適用する放電管駆動回路（右側部分のみ）を示す。図１１の放電管駆動回路は、トランスＴ３及びＴ４と、抵抗Ｒ５及びＲ６と、ダイオードＤ９乃至Ｄ１２と、インバータ回路７１とを含む。
【００５４】
トランスＴ３及びＴ４は、端子Ｐ１及びＰ２を有する一次巻線と、端子Ｓ１及びＳ４と中間タップである端子Ｓ２及びＳ３とを有する二次巻線と、端子Ｐ３及びＰ４を有する電圧検出用の三次巻線とを有する。
【００５５】
トランスＴ３の一次巻線の端子Ｐ１は、インバータ回路７１の第１の端子に接続されている。また、トランスＴ３の一次巻線の端子Ｐ２は、トランスＴ４の一次巻線の端子Ｐ１に接続されている。トランスＴ４の一次巻線の端子Ｐ２は、インバータ回路７１の第２の端子に接続されている。さらに、トランスＴ３の二次巻線の端子Ｓ１は、図示しない第１の放電管に接続されており、端子Ｓ２及びＳ３は、抵抗Ｒ５の一端に接続されている。抵抗Ｒ５の他端は接地されている。また、トランスＴ３の二次巻線の端子Ｓ４は、図示しない第２の放電管に接続されている。図示していないが、第１及び第２の放電管と、トランスＴ３及び図示していないトランスの二次巻線とは閉ループを構成しており、当該閉ループは抵抗Ｒ５により直流的に接地されている。同様に、トランスＴ４の二次巻線の端子Ｓ１は、図示しない第３の放電管に接続されており、端子Ｓ２及びＳ３は、抵抗Ｒ６の一端に接続されている。抵抗Ｒ６の他端は接地されている。また、トランスＴ４の二次巻線の端子Ｓ４は、図示しない第４の放電管に接続されている。図示していないが、第３及び第４の放電管と、トランスＴ４及び図示していないトランスの二次巻線とは閉ループを構成しており、当該閉ループは抵抗Ｒ６により直流的に接地されている。
【００５６】
トランスＴ３の三次巻線の端子Ｐ３は、中間ＲＥＦ電圧を伝えるためＲＥＦ端子を介して図１２の回路に接続されている。トランスＴ３の三次巻線の端子Ｐ４は、ダイオードＤ９のカソードと、ダイオードＤ１０のアノードとに接続されている。なお、ダイオードＤ９は、負側半波整流部５３を構成している。また、ダイオードＤ１０は正側半波整流部５１を構成している。ダイオードＤ９のアノードは−ＳＥＮＳ端子を介して図１２の回路に接続されている。また、ダイオードＤ１０のカソードは＋ＳＥＮＳ端子を介して図１２の回路に接続されている。
【００５７】
同様に、トランスＴ４の三次巻線の端子Ｐ３は、中間ＲＥＦ電圧を伝えるためＲＥＦ端子を介して図１２の回路に接続されている。トランスＴ３の三次巻線の端子Ｐ４は、ダイオードＤ１１のカソードと、ダイオードＤ１２のアノードとに接続されている。なお、ダイオードＤ１１は、負側半波整流部５３を構成している。また、ダイオードＤ１２は正側半波整流部５１を構成している。ダイオードＤ１１のアノードは−ＳＥＮＳ端子を介して図１２の回路に接続されている。また、ダイオードＤ１２のカソードは＋ＳＥＮＳ端子を介して図１２の回路に接続されている。
【００５８】
このようにダイオードＤ９及びＤ１１のアノードが接続されており、自動的に振幅最大値の信号が−ＳＥＮＳ端子を介して図１２の回路に伝えられるようになっている。すなわち、負側最大値検出部５７が構成されている。また、ダイオードＤ１０及びＤ１２のカソードが接続されており、自動的に振幅最大値の信号が＋ＳＥＮＳ端子を介して図１２の回路に伝えられるようになっている。すなわち、正側最大値検出部５５が構成されている。
【００５９】
なお、トランスＴ３及びＴ４の三次巻線の端子Ｐ３では、図１３における（ｆ）のような波形の信号が検出され、＋ＳＥＮＳ端子では図１３における（ｇ）のような波形の信号が検出され、−ＳＥＮＳ端子では図１３における（ｈ）のような波形の信号が検出される。＋ＳＥＮＳ端子及び−ＳＥＮＳ端子では、振幅最大値の信号が検出されるようになっている。
【００６０】
次に図１２に示す回路を説明する。図１２の回路は、抵抗Ｒ７乃至Ｒ１７と、オペアンプＯＰ１乃至ＯＰ４と、ダイオードＤ１２及びＤ１３と、キャパシタＣ３乃至Ｃ５と、コイルＬ１とを有する。
【００６１】
ここで、−ＳＥＮＳ端子は、抵抗Ｒ７の一端に接続され、＋ＳＥＮＳ端子は、抵抗Ｒ８の一端に接続されている。抵抗Ｒ７の他端は、抵抗Ｒ８の他端とオペアンプＯＰ２の負極側入力端子と抵抗Ｒ９の一端と接続されている。抵抗Ｒ９の他端は、オペアンプＯＰ２の出力端子に接続されている。また、ＲＥＦ端子は、オペアンプＯＰ２の正極側入力端子とオペアンプＯＰ１の負極側入力端子及び出力端子と、オペアンプＯＰ４の正極側入力端子とに接続されている。オペアンプＯＰ１の正極側入力端子は、キャパシタＣ３の一端と抵抗Ｒ１１の一端と抵抗Ｒ１０の一端とに接続されている。また、キャパシタＣ３の他端と抵抗Ｒ１１の他端とは接地されている。抵抗Ｒ１０の他端は、ＶＣＣに接続されている。
【００６２】
オペアンプＯＰ２の出力端子は、コイルＬ１の一端に接続されている。コイルＬ１の他端は、キャパシタＣ４の一端及び抵抗Ｒ１２の一端とオペアンプＯＰ３の正極側入力端子とに接続されている。キャパシタＣ４の他端及び抵抗Ｒ１２の他端は接地されている。オペアンプＯＰ３の負極側入力端子は、オペアンプＯＰ３の出力端子及び抵抗Ｒ１３の一端と、ダイオードＤ１２のアノードに接続されている。抵抗Ｒ１３の他端はオペアンプＯＰ４の負極側入力端子と抵抗Ｒ１４の一端に接続される。抵抗Ｒ１４の他端はオペアンプＯＰの出力端子とダイオードＤ１３のアノードとに接続されている。
【００６３】
ダイオードＤ１２及びＤ１３のカソードは、共に抵抗Ｒ１５の一端に接続される。抵抗Ｒ１５の他端は、抵抗Ｒ１６の一端とキャパシタＣ５の一端とに接続されている。抵抗Ｒ１６の他端は抵抗Ｒ１７の一端と接続されている。抵抗Ｒ１７の他端は、キャパシタＣ５の他端と共に接地されている。抵抗Ｒ１６と抵抗Ｒ１７の接続点は、本回路の出力としてインバータ回路７１に接続される。
【００６４】
抵抗Ｒ７乃至Ｒ９とオペアンプＯＰ２とにより再合成部５９が構成され、コイルＬ１と抵抗Ｒ１２とキャパシタＣ４とによりイコライザ６１が構成される。オペアンプＯＰ１はＲＥＦ電圧生成部として機能し、オペアンプＯＰ３はバッファとして機能し、オペアンプＯＰ４は極性反転部として機能する。さらに、ダイオードＤ１２及びＤ１３がエンベロープ検出部６３として機能する。
【００６５】
従って、オペアンプＯＰ２の出力では、＋ＳＥＮＳ信号と−ＳＥＮＳ信号とが合成されており、両極性が復元された信号となる。また、イコライザ６１として機能するコイルＬ１、キャパシタＣ４及び抵抗Ｒ１２と、バッファＯＰ３とを通過すると、図１３に示す（ｊ）のような波形の信号／ＳＥＮＳ＿ＥＱが生成される。さらに、オペアンプＯＰ４を通過すると、図１３において（ｉ）のような波形の信号ＳＥＮＳ＿ＥＱが生成される。このように、トランスの二次巻線側の周波数特性に応じた信号が生成されるようになる。そして、ダイオードＤ１２及びＤ１３のカソードは接続されており、信号／ＳＥＮＳ＿ＥＱと信号ＳＥＮＳ＿ＥＱとの振幅最大値が出力されるようになるため、エンベロープ検波される。なお、抵抗Ｒ１６及びＲ１７とキャパシタＣ５とにより放電時定数及びゲイン調整部が構成され、インバータ回路７１に接続される。
【００６６】
このような回路を用いることにより、図７に示した単純な半波整流を用いる方式に比べ歪みの影響を受けず、元の波形が非対称な場合においても正しく電圧を推定することができる。すなわち、高精度な電圧推定を行うことができる。また、図７に示した単純な半波整流を用いる方式に比べ、応答速度が２倍速くなる。さらに、図８に示した全波整流及び倍周波イコライザを用いる方式に比べ、歪みの影響も受けず、元の波形が非対称の場合にも正しく電圧を推定することができる。すなわち、高精度な電圧推定を行うことができる。また、図９に示した全波整流及び同期変調を用いる方式に比べ、同期変調用の回路が不要となり、ダイオードの数も減らすことができる。すなわち、コスト面で有利である。
【００６７】
なお、上で述べた実施の形態が適用される放電管駆動回路は、例えば図１４のような回路である。ここでは三次巻線については図示を省略する。すなわち、トランスＴ１０の一次巻線とトランスＴ１１の一次巻線とが直列に接続されており、トランスＴ１２の一次巻線とトランスＴ１３の一次巻線とが直列に接続されている。そして、直列に接続されている２つのトランスに対してインバータ回路１０１が接続されている。トランスＴ１０の二次巻線と放電管ＬＰ１とトランスＴ１２の二次巻線と放電管ＬＰ２とは閉ループを構成しており、当該閉ループは、トランスＴ１０の二次巻線の中間タップで高抵抗のＲ３１により直流的に接地されており、またトランスＴ１２の二次巻線の中間タップにおいて高抵抗の抵抗Ｒ３２により直流的に接地されている。同じように、トランスＴ１１の二次巻線と放電管ＬＰ３とトランスＴ１３の二次巻線と放電管ＬＰ４とは閉ループを構成しており、当該閉ループは、トランスＴ１１の二次巻線の中間タップにおいて高抵抗のＲ３３により直流的に接地されており、またトランスＴ１３の二次巻線の中間タップで高抵抗の抵抗Ｒ３４により直流的に接地されている。
【００６８】
以上本発明の実施の形態について説明したが、本発明はこれらの実施の形態に限定されるものではない。
【００６９】
例えば、イコライザについては、図５及び図６に示すように受動素子のみによって構成することも可能であるが、例えば図１５（ａ）乃至（ｃ）に示すような能動素子を用いた構成を採用することも可能である。図１５（ａ）のイコライザは、トランスＴ２１の三次巻線と、抵抗Ｒ４１乃至Ｒ４３と、キャパシタＣ１１及びＣ１２と、オペアンプｏｐ５と含む。トランスＴ２１の三次巻線の端子Ｐ３は、抵抗Ｒ４１の一端に接続され、抵抗Ｒ４１の他端は、抵抗Ｒ４２の一端とキャパシタＣ１２の一端と抵抗Ｒ４３の一端とに接続されている。抵抗Ｒ４３の他端は、キャパシタＣ１１の一端とオペアンプｏｐ５の負極側入力端子に接続されている。抵抗Ｒ４２の他端とキャパシタＣ１１の他端とは、オペアンプｏｐ５の出力端子に接続されている。オペアンプｏｐ５の出力端子は、図５の例であれば、ダイオードＤ１（又はＤ５）のカソード及びダイオードＤ２（又はＤ６）のアノードとに接続される。トランスＴ２１の三次巻線の端子Ｐ４は、キャパシタＣ１２の他端とオペアンプｏｐ５の正極側入力端子と共に、接地されている。
【００７０】
また、図１５（ｂ）のイコライザは、トランスＴ２２の三次巻線と、抵抗Ｒ４４及びＲ４５と、キャパシタＣ１３及びＣ１４と、オペアンプｏｐ６とを含む。トランスＴ２２の三次巻線の端子Ｐ３は、抵抗Ｒ４４の一端に接続され、抵抗Ｒ４４の他端は、キャパシタＣ１３の一端と抵抗Ｒ４５の一端とに接続されている。キャパシタＣ１３の他端は、オペアンプｏｐ６の負極側入力端子と出力端子とに接続されている。抵抗Ｒ４５の他端は、キャパシタＣ１４の一端とオペアンプｏｐ６の正極側入力端子に接続されている。トランスＴ２２の三次巻線の端子Ｐ４は、キャパシタＣ１４の他端と共に接地されている。オペアンプｏｐ６の出力は、図５の例であれば、ダイオードＤ１（又はＤ５）のカソード及びダイオードＤ２（又はＤ６）のアノードとに接続される。
【００７１】
さらに、図１５（ｃ）のイコライザは、トランスＴ２３の三次巻線と、抵抗Ｒ４６乃至Ｒ４８と、キャパシタＣ１５及びＣ１６と、ＮＰＮトランジスタＴＲ１とを含む。トランスＴ２３の三次巻線の端子Ｐ３は、抵抗Ｒ４６の一端に接続されており、抵抗Ｒ４６の他端は、キャパシタＣ１５の一端と抵抗Ｒ４７の一端とに接続されている。また、抵抗Ｒ４７の他端は、トランジスタＴＲ１のベース及びキャパシタＣ１６の一端に接続されている。トランスＴ２３の三次巻線の端子Ｐ４は、キャパシタＣ１６の他端と共に接地されている。キャパシタＣ１５の他端は、トランジスタＴＲ１のエミッタ及び抵抗Ｒ４８の一端に接続されている。抵抗Ｒ４８の他端は、電源−Ｖに接続されている。トランジスタＴＲ１のコレクタは、電源＋Ｖに接続されている。トランジスタＴＲ１のエミッタがイコライザの出力端子となっており、図５の例であれば、ダイオードＤ１（又はＤ５）のカソード及びダイオードＤ２（又はＤ６）のアノードとに接続される。
【００７２】
図１５（ａ）及び（ｂ）は、オペアンプを使用して二次のアクティブローパスフィルタ（ＬＰＦ）を構成した例であり、トランスの二次巻線に現れる、図２のような共振特性をエミュレートすることができる。また、図１５（ｃ）に示すように、トランジスタを使用することも可能である。
【００７３】
このように、能動素子を利用して構成したイコライザは、ダイオードで複数チャンネルの最大振幅値を取り出した箇所に適用すると、一度高いインピーダンスでバッファされるため、電力消費を抑えることができる。また、コイルを用いないので、ＩＣの中に取り込みやすいというメリットもある。
【００７４】
さらに、図１２に示した回路は、図１６に示すような回路に変形することも可能である。図１６では、図１２における抵抗Ｒ１２、キャパシタＣ４と、コイルＬ１と、オペアンプｏｐ３との代わりに、抵抗Ｒ５１及びＲ５２、キャパシタＣ２１及びＣ２２、及びオペアンプｏｐ７を使用して、ピーキングコイル付きのアクティブ・イコライザを構成している。アクティブ・イコライザ３０では、オペアンプｏｐ２の出力が抵抗Ｒ５１の一端に接続される。抵抗Ｒ５１の他端は、キャパシタＣ２１の一端と抵抗Ｒ５２の一端とに接続される。キャパシタＣ２１の他端はオペアンプｏｐ７の負極側入力端子と出力端子とに接続されている。抵抗Ｒ５２の他端は、オペアンプｏｐ７の正極側入力端子とキャパシタＣ２２の一端とに接続されている。キャパシタＣ２２の他端は接地されている。また、放電管以外のＬＥＤ等のランプに本発明を適用することも可能である。
【図面の簡単な説明】
【００７５】
【図１】従来の回路例を示す図である。
【図２】トランスの二次巻線側の周波数特性を表すグラフである。
【図３】第１の実施の形態に係る電圧検出回路の機能ブロック図である。
【図４】第１乃至第４の実施の形態に係る電圧検出回路における信号波形例である。
【図５】第１の実施の形態に係る電圧検出回路の具体的回路を表す図である。
【図６】（ａ）乃至（ｃ）は、第１の実施の形態に係るイコライザの他の例を示す図である。
【図７】第２の実施の形態に係る電圧検出回路の機能ブロック図である。
【図８】第３の実施の形態に係る電圧検出回路の機能ブロック図である。
【図９】第４の実施の形態に係る電圧検出回路の機能ブロック図である。
【図１０】第５の実施の形態に係る電圧検出回路の機能ブロック図である。
【図１１】第５の実施の形態に係る電圧検出回路及び放電管駆動回路の具体的回路の一部分を示す図である。
【図１２】第５の実施の形態に係る電圧検出回路の具体的回路の一部分を示す図である。
【図１３】第５の実施の形態に係る電圧検出回路における信号波形例である。
【図１４】放電管駆動回路の一例を示す図である。
【図１５】（ａ）乃至（ｃ）は、アクティブ・イコライザの例を示す図である。
【図１６】第５の実施の形態に係る電圧検出回路の変形例を示す図である。
【符号の説明】
【００７６】
Ｒ  抵抗    Ｌ  コイル    Ｃ  キャパシタ
ＯＰ  オペアンプ    Ｄ  ダイオード
【図１】
2006238658.tif 000003
【図２】
2006238658.tif 000004
【図３】
2006238658.tif 000005
【図４】
2006238658.tif 000006
【図５】
2006238658.tif 000007
【図６】
2006238658.tif 000008
【図７】
2006238658.tif 000009
【図８】
2006238658.tif 000010
【図９】
2006238658.tif 000011
【図１０】
2006238658.tif 000012
【図１１】
2006238658.tif 000013
【図１２】
2006238658.tif 000014
【図１３】
2006238658.tif 000015
【図１４】
2006238658.tif 000016
【図１５】
2006238658.tif 000017
【図１６】
2006238658.tif 000018